(57)【特許請求の範囲】
【請求項１】
連続位相変調を用いて変調された無線信号を受信するデジタル無線受信機であって、前記デジタル無線受信機は、
搬送波周波数を有するアナログ無線信号を受信する手段と、
異なるビットシーケンスに各々対応しており、前記搬送波周波数と公称搬送波周波数との間の周波数オフセットを推定するための共用推定器を共有する複数の相関器であって、前記共用推定器は、前記アナログ無線信号の逆拡散、および、前記アナログ無線信号との前記複数の相関器の同期化の両方のために使用されるものである複数の相間器と、
前記複数の相関器のうちどれが所望の出力信号を生成しているかを決定する手段と、
前記共用推定器が前記アナログ無線信号内のパケットの開始と同期したかどうかを確認し、前記共用推定器が前記パケットの途中と同期した場合、前記共用推定器を、前記アナログ無線信号の逆拡散から、着信する前記アナログ無線信号との前記複数の相関器の同期化に切り替える監視機構と、
を備える
ことを特徴とするデジタル無線受信機。
【請求項２】
前記所望の出力信号は、最も高い出力信号である
ことを特徴とする、請求項１に記載のデジタル無線受信機。
【請求項３】
前記無線信号は、少なくとも一部に直接シーケンススペクトル拡散信号を含む
ことを特徴とする、請求項１または請求項２に記載のデジタル無線受信機。
【請求項４】
二つの直接シーケンススペクトル拡散シーケンスが使用される
ことを特徴とする、請求項３に記載のデジタル無線受信機。
【請求項５】
ペイロードだけが複数のチップに分割される
ことを特徴とする、請求項３または請求項４に記載のデジタル無線受信機。
【請求項６】
前記共用推定器は、データ支援型タイミング・周波数オフセット統合推定器である
ことを特徴とする、請求項１乃至請求項５のいずれかに記載のデジタル無線受信機。
【請求項７】
前記無線信号は、ブルートゥースの標準プリアンブルを含む
ことを特徴とする、請求項１乃至請求項６のいずれかに記載のデジタル無線受信機。
【請求項８】
所望の出力信号を測定するとタイムスタンプを記録し、次に前記所望の出力信号を測定すると、以前に所望の出力信号を測定してから所定数のサンプリングが行なわれたことを確認する手段を備える
ことを特徴とする、請求項１乃至請求項７のいずれかに記載のデジタル無線受信機。
【請求項９】
デジタル無線受信機を動作させる方法であって、前記方法は、
連続位相変調を用いて変調された、搬送波周波数を有するアナログ無線信号を受信することと、
異なるビットシーケンスに各々対応し共用推定器を共有する複数の相関器を使用することと、
前記共用推定器を用いて前記搬送波周波数と公称搬送波周波数との間の周波数オフセットを推定することと、
前記相関器のうちどれが所望の出力信号を生成しているかを決定することと、
前記共用推定器を、前記アナログ無線信号の逆拡散、および、前記アナログ無線信号との前記複数の相関器の同期化の両方のために使用することと、
前記共用推定器が前記アナログ無線信号内のパケットの開始と同期したかどうかを確認することと、
前記共用推定器が前記パケットの途中と同期した場合、前記共用推定器を、前記アナログ無線信号の逆拡散から、着信する前記アナログ無線信号との前記複数の相関器の同期化に切り替えることと、
を含む
ことを特徴とする方法。
【請求項１０】
前記所望の出力信号は、最も高い出力信号である
ことを特徴とする、請求項９に記載の方法。
【請求項１１】
前記アナログ無線信号は、少なくとも一部に直接シーケンススペクトル拡散信号を含む
ことを特徴とする、請求項９または請求項１０に記載の方法。
【請求項１２】
ニつの直接シーケンススペクトル拡散シーケンスが使用される
ことを特徴とする、請求項１１に記載の方法。
【請求項１３】
ペイロードだけが複数のチップに分割される
ことを特徴とする、請求項１１または請求項１２に記載の方法。
【請求項１４】
前記共用推定器は、データ支援型タイミング・周波数オフセット統合推定器である
ことを特徴とする、請求項９乃至請求項１３のいずれかに記載の方法。
【請求項１５】
前記アナログ無線信号は、ブルートゥースの標準プリアンブルを含む
ことを特徴とする、請求項９乃至請求項１４のいずれかに記載の方法。
【請求項１６】
所望の出力信号を測定するとタイムスタンプを記録することと、次に前記所望の出力信号を測定すると、以前に所望の出力信号を測定してから所定数のサンプリングが行なわれたことを確認することと、を含む
ことを特徴とする、請求項９乃至請求項１５のいずれかに記載の方法。
【請求項１７】
デジタル無線受信機を動作させるコンピュータソフトウェアであって、前記コンピュータソフトウェアは、
連続位相変調を用いて変調された、搬送波周波数を有するアナログ無線信号を受信し、
異なるビットシーケンスに各々対応し共用推定器を共有する複数の相関器を使用し、
前記共用推定器を用いて、前記搬送波周波数と公称搬送波周波数との間の周波数オフセットを推定し、
前記相関器のうちどれが所望の出力信号を生成しているかを決定し、
前記共用推定器を、前記アナログ無線信号の逆拡散、および、前記アナログ無線信号との前記複数の相関器の同期化の両方のために使用し、
前記共用推定器が前記アナログ無線信号内のパケットの開始と同期したかどうかを確認し、
前記共用推定器が前記パケットの途中と同期した場合、前記共用推定器を、前記アナログ無線信号の逆拡散から、着信する前記アナログ無線信号との前記複数の相関器の同期化に切り替えるようになっている
ことを特徴とするコンピュータソフトウェア。
【請求項１８】
前記所望の出力信号は、最も高い出力信号である
ことを特徴とする、請求項１７に記載のコンピュータソフトウェア。
【請求項１９】
前記アナログ無線信号は、少なくとも一部に直接シーケンススペクトル拡散信号を含む
ことを特徴とする、請求項１７または請求項１８に記載のコンピュータソフトウェア。
【請求項２０】
二つの直接シーケンススペクトル拡散シーケンスを使用するようになっている
ことを特徴とする、請求項１９に記載のコンピュータソフトウェア。
【請求項２１】
ペイロードだけが複数のチップに分割される
ことを特徴とする、請求項１９または請求項２０に記載のコンピュータソフトウェア。
【請求項２２】
前記共用推定器は、データ支援型タイミング・周波数オフセット統合推定器である
ことを特徴とする、請求項１７乃至請求項２１のいずれかに記載のコンピュータソフトウェア。
【請求項２３】
ブルートゥースの標準プリアンブルを前記アナログ無線信号に使うようになっている
ことを特徴とする、請求項１７乃至請求項２２のいずれかに記載のコンピュータソフトウェア。
【請求項２４】
所望の出力信号を測定するとタイムスタンプを記録し、次に前記所望の出力信号を測定すると、以前に所望の出力信号を測定してから所定数のサンプリングが行なわれたことを確認するようになっている
ことを特徴とする、請求項１７乃至請求項２３のいずれかに記載のコンピュータソフトウェア。
【発明の詳細な説明】
【技術分野】
【０００１】
本発明は、デジタル無線伝送を復号するための装置および方法に関する。
【背景技術】
【０００２】
携帯機器では、消費電力を低減するという一般的な要求がある。この要求は、通信方法に使用される電力にまで及び、通信を効率的に行なえる範囲を限定してしまう可能性がある。
【０００３】
ブルートゥース（登録商標）やジグビーなど多くの異なる通信プロトコルが存在するが、性能に関して共通の制約がある。具体的には、信号はノイズの影響を受けやすく、特に長距離伝送では距離と共に信号が減衰するのでその傾向がある。このため、データが正確に受信されないとビットエラーやパケットエラーにつながる。信号がノイズにあまり影響されないようにする一つのやり方は、もちろん、伝送出力を上げることであって、そうすれば信号対雑音比が増加する。しかし、これは、消費電力を削減する努力と相反することになり、二つの要件をバランスさせる必要がある。
【０００４】
デジタルシステムにおいて伝送品質を改善するために考えられる一つの方法は、一回の伝送における各ビットまたはビットシーケンスを多数のチップで表すスペクトル拡散変調を使用することである。こうすれば、チップを一つ失っても一ビット全体を表していないので影響を低減することができ、チップシーケンスを慎重に選択すれば、たとえいくつかのチップが欠落しても区別することができる。しかし、この方法は、理想的な条件下では通信範囲を拡大するのに役立つかもしれないが、搬送波周波数オフセットつまりドリフトが存在するとうまくいかない場合がある。このようなことが起こると、信号を受信したときに問題が生じ、データが読み違えられるおそれがある。
【発明の概要】
【０００５】
第一の側面から見ると、本発明は、連続位相変調を用いて変調された無線信号を受信するデジタル無線受信機を提供するものであって、前記受信機は、搬送波周波数を有するアナログ無線信号を受信する手段と、異なるビットシーケンスに各々対応しており、前記搬送波周波数と公称搬送波周波数との間の周波数オフセットを推定するための共用推定器を共有する複数の相関器と、前記相関器のうちどれが所望の出力信号を生成しているかを決定する手段と、を備える。 
【０００６】
本明細書の開示を踏まえると当業者にはその良さが分かるであろうが、複数の相関器を使用することによって、搬送波周波数オフセットの存在下でも改善された感度を発揮できるデジタル受信機が提供される。当業者によく知られているように、複数の相関器を使用すれば、受信波形とデータパケットの中の所望パターンを表す既知の波形との間の相互相関を計算することができる。複数の相関器の使用は、多くの理由で特に有益である。相関器は、検索型動作や学習型動作を行なう必要がないので比較的高速に動作することができる。また、相関器は、タイミングおよび周波数オフセットの推定値を提供することができるので、迅速なタイミング同期を達成することができ、プロトコルで同期化に限られた時間しか許されないブルートゥースのような用途において優位点がある。また、相関器出力での有効な「ピーク」は、有効なパケット（フレーム）同期にもなり得る。最後に、適切に設計された相関器は、低い信号対雑音比（ＳＮＲ）の下で十分に機能することができることが判明している、すなわち、相関器が制限要因とはならない。
【０００７】
複数の相関器を使用すると、受信機がより簡単にビットパターンを決定することができるので、より長い範囲にわたって低エネルギー伝送を実施することができる。各相関器は、単一のビットパターンを探しているだけであって、複数の異なるビットパターンとの比較を実行する必要はないので、複数の相関器からの出力を各々比較することによって、各ビットの値を容易かつ迅速に決定することができる。次に、複数の相関器出力の比較を行なって、関連する出力を選択し正しいビットパターンを見つけることができる。既知の値と直接に多くの比較を行なうことによって、相対的な信号を所望するのであって（例えば、最も高い出力）、特定の絶対値ではないので、信号の劣化はあまり重要ではない。一連の実施形態において、所望の出力信号は、最も高い出力信号である。
【０００８】
相関器と関係付けられたビットシーケンスは直接ビットシーケンスでもよいが、一連の実施形態において、相関器が対応するビットシーケンスは、直接シーケンススペクトル拡散（ＤＳＳＳ）方式のチップシーケンスを含む、すなわち、無線信号は、少なくとも一部に直接シーケンススペクトル拡散信号を含む。ＤＳＳＳにおいては、パケット内の一部またはすべての原ビットが、各々の原ビットが所定のシーケンスで表されるように、チップシーケンスに分割されて（つまり「拡散」して）いる。例えば、「１」のビットはシーケンス「１１０１」で表わし「０」のビットは「００１０」で表わすといったように、一方が１を表し、他方が０を表す二つのシーケンスしかなくてもよい。あるいは、例えば、より長いビットパターンに対して、より多数のシーケンスがあってもよい。もちろん、異なるシーケンスを使用することもでき、特に、異なる長さのシーケンスを使用することもできる。したがって、所望の出力信号を生成する相関器が適切なビットまたはビットシーケンスを表すように、各々の相関器を特定のチップシーケンスと関係付けることができる。パケット全体がチップシーケンスであってもよいが、一連の実施形態においては、ペイロードなどパケットの一部だけが複数のチップに分割される。したがって、本発明に係って参照される各「ビット」は、文字通りのビットであるか、または信号拡散によって生じるチップである。
【０００９】
チップシーケンスを用いることによって、受信信号の品質を向上させることができる。なぜなら、各々の原ビットが多くのチップに分散されるからである。全体のパケットを送信する際には、送信機と受信機との間で一定数のチップが失われる場合がある。この方法の利点は、たとえ送信された実際のビット（チップ）の一部が確実に受信または回復されなくても、原ビットの表現を回復することが比較的簡単なことである。つまり、原ビット表現に対するデバイス仕様としてのビット誤り率（ＢＥＲ）は達成することができる一方で、「無線上の」ビットに対するＢＥＲはそれに比べて非常に高いことを意味する。実際面で言えば、これは、与えられた送信出力と受信機利得に対して、この符号化方式を適用しなければプロトコルに従うだけの接続を、より長い距離にわたって延ばすことができることを意味する。したがって、このような動作は、長距離モードとみなすことができる。同位置のビットが互いに反転するなど非常に異なるチップシーケンスを有することにより、部分的な送信であっても他のシーケンスとは容易に区別することができる。
【００１０】
当業者であればよく理解できるであろうが、各データビットを複数のチップで表せば、達成可能な実効データレートを低くすることができる。より具体的には、各データビットが固定長のシーケンスで表される場合、実効データレートは、チップレートをシーケンスの長さで割った値である。したがって、シーケンスの長さとデータレートとの間にはトレードオフが存在する。一方、シーケンスが長いほど失われるチップへの耐性が大きくなるので、使用するシーケンスが長いほど与えられたデータＢＥＲに対して達成し得る通信範囲がより広くなる。
【００１１】
一連の実施形態において、共用推定器は、データ支援型タイミング・周波数オフセット統合推定器である。この良く知られた推定器は、複数のビットまたはチップシーケンスを表すために、複数の相関器と一緒に使用される。共用推定器を使用することによって、相関器は全て同一のタイミング情報を使用するので、同期化が比較的容易である。
【００１２】
別の一連の実施形態において、共用推定器は、前記信号の逆拡散、および、前記複数の相関器と着信する前記信号との同期化の両方のために使用される。こうすれば、逆拡散（すなわち、チップからビットを再構築すること）と同期化の両方のために別々のモジュールを必要とすることがなくなり、受信機のサイズと製造コストの両方を削減することができる。ブルートゥースの標準プリアンブルで十分であり、プリアンブルの各ビットが、対応するチップシーケンスで置き換えられる。こうすれば、スペクトル拡散方式で頻繁に使用されるような比較的長いプリアンブルの必要性がなくなる。各相関器は基本的に周波数オフセット推定器なので、同じモジュールを逆拡散および同期化の両方に使用することによって、得られたデータは、周波数推定器の作動範囲にわたって搬送波周波数オフセットに対して比較的堅固である。搬送波周波数オフセットに対するシステム許容度は、推定器の作動範囲で決まり、相関器の前にある微分フィルタの微分遅延を介して制御可能である。
【００１３】
一連の実施形態において、デジタル無線受信機は、所望の出力信号を測定するとタイムスタンプを記録し、次に前記所望の出力信号を測定すると、以前に所望の出力信号を測定してから所定数のサンプリングが行なわれたことを確認するように設定される。これを使用すると、いつ次の信号が来そうかを受信機が知ることができるので、不要波のデータが伝送に影響を与えるのを一定の許容誤差内で防ぐことができる。
【００１４】
本発明は、デジタル無線受信機を動作させる方法にまで及び、前記方法は、
連続位相変調を用いて変調された、搬送波周波数を有するアナログ無線信号を受信することと、
異なるビットシーケンスに各々対応し共用推定器を共有する複数の相関器を使用することと、
前記共用推定器を用いて前記搬送波周波数と公称搬送波周波数との間の周波数オフセットを推定することと、
前記相関器のうちどれが所望の出力信号を生成しているかを決定することとを含む。
【００１５】
本発明は、さらに、適応デジタル無線受信機を動作させるコンピュータソフトウェアにも及び、前記コンピュータソフトウェアは、
連続位相変調を用いて変調された、搬送波周波数を有するアナログ無線信号を受信し、
異なるビットシーケンスに各々対応し共用推定器を共有する複数の相関器を使用し、
前記共用推定器を用いて、前記搬送波周波数と公称搬送波周波数との間の周波数オフセットを推定し、
前記相関器のうちどれが所望の出力信号を生成しているかを決定するようになっている。
【図面の簡単な説明】
【００１６】
本発明の実施形態について、付随する図面を参照しながら、ほんの一例として説明することにする
【図１】本発明に係るデジタル受信機用のプロセッサの概略図を示している。
【図２】図１のプロセッサを備える受信機の動作のフローチャートを示している。
【図３】パケット構造および適用可能性がある符号化方式を表している。
【図４】本発明に係るデバイスの概要を示している。
【図５】図４のようなデバイスの全体的な動作を示している。
【発明を実施するための形態】
【００１７】
図１は、本発明に係るデジタル受信機用プロセッサ２の例を示している。プロセッサ２は、主に推定器４と、一対の相関器６、８とから構成されている。相関器６、８は、同一の物理的設定を有しているが、別のチップシーケンスと各々関係付けられている。このことは、図２を参照しながらより詳細に説明する。
【００１８】
この例ではニつの相関器があるが、実際には、表現する必要があるシーケンス数に応じて、三つ以上の可能性もある。相関器６、８と推定器４との組合せで、データ支援型タイミング・周波数オフセット統合推定器を形成する。
【００１９】
使用時には、共用推定器４は、相関器６、８を同期するために使用される。相関器６、８は、また、受信中のビットパターンに応じて適切にサンプリングされるような、入力信号のサンプリングをスケジュールする有限状態機械（ＦＳＭ）１０を用いて、入力信号と同期化される。入力信号は、直接シーケンススペクトル拡散（ＤＳＳＳ）符号化方式を用いて拡散されているので、各ビットパターンは、チップシーケンスで表される。これらのシーケンスは、二つの相関器を用いた本実施例のように、単純に１と０を表してもよいし、より長いビットパターンを表してもよい。サンプリングが行なわれると、二つの相関器の出力は、どちらが所望の出力信号を有するかを確認するために、判定部１２に入力される。この例では、所望の出力は、最も強い相関を示す最大出力信号である。受信した信号を相関器６、８の両方に通すことによって、表わされたパターンのうちのどちらが、受信した信号から測定されたチップシーケンスにより近いかを見分けることができる。この例では、ニつの選択肢の間の差ができるだけ大きくなるように、同位置のビットが互いに反転するチップシーケンスを使用している。チップシーケンスが確立されると、表現されるビットパターンがプロセッサから出力される。
【００２０】
図２は、図１を参照しながら説明したプロセッサをどのように動作させるのかを明示したフローチャートを示している。ステップ２０で、システムは、ゼロに初期化されてデータ収集の準備ができる。ステップ２２でシステム状態が検査された後、ステップ２４に進んでピークが検出されたかどうか検査される。これは、相関器６、８のいずれかの出力が閾値を交差したかどうか調べることによって行われる。ピークがなかった場合、システムはステップ２２に戻る。しかし、ピークが検出された場合、以前のピークからの時間的隔たりが測定される。この測定は、一定の間隔でピークが決定されるべきなので、信号に影響を及ぼす不要波ノイズを防止するために行われる。例えば、各ビットを表すために１６個のチップを使用し８倍のオーバーサンプリングを行なうシステムにおいて、ピークは、１２８±１のサンプリングごとに予期される。その差が予期したサンプリング数に対応しない場合、システムがステップ２２に戻る前に、計測カウンタはステップ２８で１に等しく設定される。
【００２１】
サンプリング数が所定の許容範囲内であれば、カウンタは、最小値と比較される前に（ステップ３０）カウンタ値が増分される（ステップ３２）。この最小値は、送信された情報の読み取りを開始する前に、システムがまだ適切に同期しているかどうかを決定するために存在する。カウンタ値が最小値より小さい場合、別のピークを決定するために、ステップ２２に戻る。しかし、最小値に達すると、今や同期したとみなされるので、システムの同期状態は、１に等しく設定することができる（ステップ３４）。（少なくとも二つなど）最小のピーク数の位置が既に知られているので、次に、システムのストローブタイミングを設定することができる（ステップ３６）。
【００２２】
システムがステップ２２に戻ると、同期状態が変わったので、システムは今度はペイロードを記録することができる。ストローブタイミングが正しい場合は、ステップ３８で検査したように、次のサンプリングが行なわれると、どちらが最高出力を有するかを確認するために、相関器の出力は比較される（ステップ４０）。これが記録されると、監視機構が実行される（ステップ４２）。この監視機構は、システムがチップシーケンスの途中で同期したかどうかを検証する。その場合は、システムが正しく同期しなかったので、同期状態は、０に戻される（ステップ４４）。次に、システムは、同期状態が１か０かにかかわらずステップ２２に戻る。システムは、その後、再同期するか、チップシーケンスを検出しパケットを識別するかのいずれかを行なう。
【００２３】
図３は、典型的なパケットの構成を示している。パケットは、異なる長さの四つの別々のフィールドに分割される。最初にあるのはプリアンブル４６である。これは、受信機が周波数回復やタイミング回復のために使用する、１と０が交互にある単一のオクテットで構成されている。表の下にあるのは、四倍のＤＳＳＳ符号化利得がプリアンブル 「１０１０１０１０」にどのように適用することができるのかを示したいくつかの例であり、ここで、符号化利得とは、コードシーケンスが適用されたデータを受信する能力の増加量である。一番上の例では、元のシーケンスが単純に四回繰り返される。これはプリアンブルの例であり、１と０の交互のビットパターンをプリアンブルと同様に使用することができる。したがって、元の文字列のｎ番目の１ビットが、拡張シーケンスの４ビット（つまり「チップ」）、すなわち、拡張文字列のｎ、ｎ＋８、ｎ＋１６、ｎ＋２４番目のビットで表される。
【００２４】
中央の例では、各ビットが四回繰り返される。ここでも、明らかに元の文字列の各ビットは、拡張文字列の四つのチップで表される。
【００２５】
一番下の例では、ダイレクトシーケンススペクトル拡散が使用される。この例では、各「１」ビットがシーケンス「１１０１」によって表され、各「０」ビットが「００１０」で表される。もちろん、異なるシーケンスを使用することができ、特に、必要な符号化利得に応じて異なる長さのシーケンスを使用することができる。選択されたシーケンスが、適切な同期のための良好な自己相関特性を有することが重要である。
【００２６】
図４は、本発明に係るデバイスの例を示している。これは、一般に「システムオンチップ」または「ＳｏＣ」構成として知られている集積半導体部品として提供することができる。デバイス５４は、備え付けであれモバイルであれ、多種多様の異なる応用例に組み込むことができ、送信、受信、または両方を行なうように構成することができる。
【００２７】
デバイス５４の中心には、メモリ６４とやり取りするプロセッサ６２が存在する。プロセッサ６２は、共用アンテナ６０を共有して該デバイスが無線信号を受信および送信できるようにする無線受信機５８および無線送信機５６ともやり取りする。ＳｏＣデバイスの一般的な設計および動作は、当業者に周知であるので、ここでさらに詳細に説明する必要はない。
【００２８】
本発明に係るデバイス５４の全体の動作は、図５で見ることができる。本発明の上記した実施形態は、長距離で低エネルギーな伝送のための改良されたデジタル受信機５８を提供する。ＤＳＳＳ信号を用いることによって、伝送中にいくつかのチップが失われても、通常はビット全体が失われることにはならないので、受信感度が増加する。これによって、長距離で低エネルギー伝送で発生した伝送ノイズや他の問題の影響を低減することができる。
【００２９】
信号は、デバイスの送信機５６から送信される（ステップ６６）。後の時点で、入力信号は、受信器５８で受信される（ステップ６８）。図１を参照しながら説明したように、受信機６０は、共用推定器４と、別々のチップシーケンスを各々確認する多数の相関器６、８とを備える。共用推定器４は、入力信号の逆拡散、および相関器６、８の入力信号との同期化の両方のために使用される（ステップ７０）。相関器６、８は、すべて共用推定器４のクロックで実行されている。ストローブタイミングで、相関器が受信信号と各々比較され（ステップ７２）、それらの出力がすべて比較可能な状態になるので（ステップ７４）、どちらの相関器６、８が最高出力を有するのかを推定器が決定することができる（ステップ７６）。最高出力は最も強い相関関係に相当し、この出力を生成した相関器６、８の値をその時点でのビット値とみなすことができる。この値は、プロセッサ６２から出力される（ステップ７８）。定期的に相関器出力（各チップパターンの長さなど）を比較することによって、入力信号を表す一連のビットを決定することができる。
【００３０】
各相関器６、８は、ハードウェアの残りの部分と一緒に、実質的に周波数オフセット推定器を構成している。こうすることによって、逆拡散が、搬送波周波数オフセットとドリフトに対して非常に堅固になる。これは、二つの理由による。第一の理由は、全ての相関が同時に行われるので、チップパターンを決定している間に搬送波周波数が変化することはないことである。第二の理由は、相関が同時に行なわれるので、相関器６、８は同じ搬送波周波数を各々経験し、何か変化が起きるとすべて同じように影響を受けることである。こうして、ビットパターンが誤って読まれる可能性を減少させることができる。
【００３１】
監視機構４２を推定器と一緒に備えれば、推定器がパケットの開始と同期化したかどうかを確認し、パケットの途中と同期化している場合、データ収集ループを脱け出すことが可能であり、間違ったデータ収集の可能性を減少させることができる。
【００３２】
上記の処理は、受信信号を表す一連のビットを生成することができるので、無線受信機５８を備えるデバイス５４によって使用され得る。
【図１】
0006523292.tif 000002
【図２】
0006523292.tif 000003
【図３】
0006523292.tif 000004
【図４】
0006523292.tif 000005
【図５】
0006523292.tif 000006